(57)【特許請求の範囲】
【請求項１】
メディカル用体位保持ベルトを手術台のサイドレールに固定する、又は、手術台のサイドレールから取外すためのメディカル用体位保持ベルト固定装置において、
アッパークランプ、ロワークランプ及び弾性体を備えており、
前記アッパークランプ又は前記ロワークランプは、前記メディカル用体位保持ベルトに接続され、
前記アッパークランプと前記ロワークランプとのそれぞれには、前記手術台のサイドレールを挟持するための挟持部が設けられており、
前記弾性体は、その両端がそれぞれ前記アッパークランプと前記ロワークランプとに当接又は固定されており、
前記メディカル用体位保持ベルト固定装置は、
前記弾性体がその自体の弾性力で前記アッパークランプの挟持部と前記ロワークランプの挟持部とを接近させることで、前記メディカル用体位保持ベルトを前記手術台のサイドレールに固定する挟持状態と、
前記弾性体の弾性力に抗して前記アッパークランプの挟持部と前記ロワークランプの挟持部とを離間させることで、前記メディカル用体位保持ベルトを前記手術台のサイドレールから取外す開放状態と、になることができ、
前記メディカル用体位保持ベルト固定装置は、前記アッパークランプの当接部と前記ロワークランプの当接部とが前記弾性体の弾性力で互いに当接する使用前状態になることができ、
前記アッパークランプ又は前記ロワークランプは、保持ベルト接続体を介して前記メディカル用体位保持ベルトに接続され、
前記保持ベルト接続体は、その一端が前記メディカル用体位保持ベルトに固定され、その他端が前記アッパークランプ又は前記ロワークランプに固定され、
前記保持ベルト接続体が固定される前記アッパークランプの表面には、前記保持ベルト接続体の最大の偏り角が３０°になるように、円弧形状の段部が設けられている、
ことを特徴とするメディカル用体位保持ベルト固定装置。
【請求項２】
前記弾性体は、前記アッパークランプと前記ロワークランプのうちの少なくとも一方のクランプの弾性体収容部に設置されている、ことを特徴とする請求項１に記載のメディカル用体位保持ベルト固定装置。
【請求項３】
前記アッパークランプと前記ロワークランプとは、ピボット軸の廻りに互いに相対回転できる、
ことを特徴とする請求項１に記載のメディカル用体位保持ベルト固定装置。
【請求項４】
前記ピボット軸が前記アッパークランプ又は前記ロワークランプに一体形成される、
ことを特徴とする請求項３に記載のメディカル用体位保持ベルト固定装置。
【請求項５】
前記ロワークランプ又は前記アッパークランプには、溝が設けられており、
ストッパーは、前記アッパークランプと前記ロワークランプとが互いに横方向にずれないように前記溝内に設けられている、
ことを特徴とする請求項４に記載のメディカル用体位保持ベルト固定装置。
【請求項６】
前記ピボット軸は、単独で形成され、且つ前記アッパークランプと前記ロワークランプとを貫通するようになっている、
ことを特徴とする請求項３に記載のメディカル用体位保持ベルト固定装置。
【請求項７】
前記ピボット軸は、前記アッパークランプと前記ロワークランプとが互いに横方向にずれないように、その一端にピボット軸キャップが設けられ、その他端に固定ネジが接続されている、
ことを特徴とする請求項６に記載のメディカル用体位保持ベルト固定装置。
【請求項８】
前記弾性体が圧縮バネである、
ことを特徴とする請求項１に記載のメディカル用体位保持ベルト固定装置。
【請求項９】
前記弾性体は、その一端が前記少なくとも一方のクランプの前記弾性体収容部の底面に当接し、その他端が前記アッパークランプと前記ロワークランプとのうちの少なくとも他方のクランプに当接するようになっている、
ことを特徴とする請求項２に記載のメディカル用体位保持ベルト固定装置。
【請求項１０】
前記弾性体と、前記アッパークランプと前記ロワークランプとのうちの少なくとも他方のクランプとの間に挿入され、且つ一部が前記弾性体収容部に収容されるスライダーを更に備えている、
ことを特徴とする請求項２に記載のメディカル用体位保持ベルト固定装置。
【請求項１１】
前記弾性体が引張りバネ、ねじりバネ又はスライスバネである、
ことを特徴とする請求項１に記載のメディカル用体位保持ベルト固定装置。
【請求項１２】
前記アッパークランプと前記ロワークランプとは、押出成形される、
ことを特徴とする請求項１に記載のメディカル用体位保持ベルト固定装置。
【請求項１３】
前記アッパークランプと前記ロワークランプのうち、前記弾性体収容部が設けられた前記少なくとも一方のクランプは、その一端に、前記弾性体が動きやすくなるように前記弾性体収容部と連通する通気孔が設けられている、
ことを特徴とする請求項２に記載のメディカル用体位保持ベルト固定装置。
【請求項１４】
前記保持ベルト接続体の前記他端がスクリューを介して前記アッパークランプに固定される、
ことを特徴とする請求項１に記載のメディカル用体位保持ベルト固定装置。
【請求項１５】
前記保持ベルト接続体の前記他端がスクリューを介して前記アッパークランプに固定さ
れ、且つ前記スクリューが前記ストッパーを構成する、
ことを特徴とする請求項５に記載のメディカル用体位保持ベルト固定装置。
【請求項１６】
前記ロワークランプ又は前記アッパークランプには、使用者が使用中に掴むためのフランジ部が設けられている、
ことを特徴とする請求項１に記載のメディカル用体位保持ベルト固定装置。
【請求項１７】
前記挟持部が鈎状挟持部である、
ことを特徴とする請求項１に記載のメディカル用体位保持ベルト固定装置。
【請求項１８】
前記アッパークランプの形状は、前記メディカル用体位保持ベルトの付加引張力の増大に伴い、前記アッパークランプの鈎状挟持部で前記手術台のサイドレールに与える付加挟持力が数倍に増大するように設計されている、
ことを特徴とする請求項１７に記載のメディカル用体位保持ベルト固定装置。
【請求項１９】
前記保持ベルト接続体と前記アッパークランプ又は前記ロワークランプとの間に設けられたガスケットを更に備える、
ことを特徴とする請求項１に記載のメディカル用体位保持ベルト固定装置。
【請求項２０】
スライダーを備えており、
前記弾性体は、その一端が前記アッパークランプと前記ロワークランプのうちの少なくとも一方のクランプに当接又は固定され、その他端が前記スライダーを介して前記アッパークランプと前記ロワークランプのうちの少なくとも他方のクランプに当接又は固定される、
ことを特徴とする請求項１に記載のメディカル用体位保持ベルト固定装置。
【請求項２１】
前記弾性体及び前記スライダーが何れも水平方向に沿って設置される、
ことを特徴とする請求項２０に記載のメディカル用体位保持ベルト固定装置。
【請求項２２】
前記弾性体及び前記スライダーが何れも垂直方向に沿って設置される、
ことを特徴とする請求項２０に記載のメディカル用体位保持ベルト固定装置。
【請求項２３】
前記スライダーには、弾性体収容部が設けられ、前記弾性体は、少なくともその一部が前記弾性体収容部に収容される、
ことを特徴とする請求項２０に記載のメディカル用体位保持ベルト固定装置。
【発明の詳細な説明】
【技術分野】
【０００１】
本願は、２０１３年１０月１８日に提出した、出願番号が201310495302.6である中国特許出願の優先権を要求するものであり、ここに該中国特許出願の全内容を参考のため援用する。
【０００２】
本発明は、メディカル用体位保持ベルト固定装置に関わるものであり、特に、メディカル用体位保持ベルトを手術台のサイドレールに固定する、又は、手術台のサイドレールから取外すためのメディカル用体位保持ベルト固定装置に関わるものである。
【背景技術】
【０００３】
従来、医療分野では、患者に手術を実施する必要がある場合、患者の身体部位を縛ることで患者が移動中に傷つくのを防止する縛り式のゲートル（「メディカル用体位保持ベルト」とも言う）が病院で一般に採用されている。従来のメディカル用体位保持ベルトは、通常、その一端又は両端に固定装置が取付けられており、該固定装置にてメディカル用体位保持ベルトを手術台のサイドレールに固定することで、患者の体位が移動しないように保持する。
【０００４】
従来のメディカル用体位保持ベルトには、サイドレール１０５と組み合わせてブロック１００の重力でセルフロッキングを実現する、つまりブロック１００を持上げないと分離できない板金折り曲げ構造（図１（ａ）に示す）の第一方案のものと、ボルトで固定する第二方案のものがある。
【０００５】
第一方案は、プレロードがなく、サイドレールと組合わせた後に随意スライド可能であるので、一端に開口がある箇所に取り付けられず、サイドレール接続柱１０６の間のみに取り付けられ（図１（ｂ）に示す）、また、サイドレールと水平面とが３０°の角度を成すと、板金折り曲げ構造がスライドすることになるとの欠陥があり、第一方案に係るメディカル用体位保持ベルト固定装置は、その構造の特殊性に起因して、異なる手術台のサイドレールに適用できない。
【０００６】
第二方案は、ボルト２００で締め付けて固定する（図２に示す）ので、時間がかかり、クリーンがし難くいとの欠陥がある。
【発明の概要】
【発明が解決しようとする課題】
【０００７】
本発明は、上記の欠陥を解消するためになされたものであり、その目的は、予備クランプ力を提供でき、手術台のサイドレールの任意位置に取付けられ、サイドレールと水平面とが３０°の角度を成す際にスライドしないことを確保でき、異なる手術台のサイドレール（サイドレールの高さが一定）に適用でき、ボルトによる固定を避けて使用効率を向上できると共にクリーンを容易に行えるメディカル用体位保持ベルト固定装置を提供することである。
【課題を解決するための手段】
【０００８】
上記の目的を達成するために、本発明は、メディカル用体位保持ベルトを手術台のサイドレールに固定する、又は、手術台のサイドレールから取外すためのメディカル用体位保持ベルト固定装置において、アッパークランプ、ロワークランプ及び弾性体を備えており、前記アッパークランプ又は前記ロワークランプは、前記メディカル用体位保持ベルトに接続され、前記アッパークランプと前記ロワークランプとのそれぞれには、前記手術台のサイドレールを挟持するための挟持部が設けられており、前記弾性体は、その両端がそれぞれ前記アッパークランプと前記ロワークランプとに当接又は固定されており、前記メディカル用体位保持ベルト固定装置は、前記弾性体がその自体の弾性力で前記アッパークランプの挟持部と前記ロワークランプの挟持部とを接近させることで、前記メディカル用体位保持ベルトを前記手術台のサイドレールに固定する挟持状態と、前記弾性体の弾性力に抗して前記アッパークランプの挟持部と前記ロワークランプの挟持部とを離間させることで、前記メディカル用体位保持ベルトを前記手術台のサイドレールから取外す開放状態と、になることができる、ことを特徴とするメディカル用体位保持ベルト固定装置を提供する。
【０００９】
上記の技術案によれば、本発明のメディカル用体位保持ベルト固定装置は、予備クランプ力を提供でき、手術台のサイドレールの任意位置に取付けられ、サイドレールと水平面とが３０°の角度を成す際にスライドしないことを確保でき、異なる手術台のサイドレール（サイドレールの高さが一定）に適用でき、ボルトによる固定を避けて使用効率を向上できると共にクリーンを容易に行えるとの有益な技術的効果を奏することができる。
【００１０】
好ましくは、前記アッパークランプ又は前記ロワークランプは、保持ベルト接続体を介して前記メディカル用体位保持ベルトに接続され、前記保持ベルト接続体は、その一端が前記メディカル用体位保持ベルトに固定され、その他端が前記アッパークランプ又は前記ロワークランプに固定されている。
【００１１】
上記の技術案によれば、本発明のメディカル用体位保持ベルト固定装置は、追加の保持ベルト接続体を採用することで、メディカル用体位保持ベルトとメディカル用体位保持ベルト固定装置とを更に牢固に接続できるとの有益な技術的効果を奏することができる。
【００１２】
好ましくは、前記弾性体は、前記アッパークランプと前記ロワークランプのうちの少なくとも一方のクランプの弾性体収容部に設置されている。
【００１３】
上記の技術案によれば、本発明のメディカル用体位保持ベルト固定装置は、アッパークランプとロワークランプのうちの少なくとも一方のクレンプに弾性体収容部を設置するとともに、弾性体を該弾性体収容部に設置することで、弾性体の取付けが更に簡素化になり、且つ使用時に弾性体が隠され、医務スタッフへの汚染を防止できるとの有益的な技術的効果を奏することができる。
【００１４】
好ましくは、前記アッパークランプと前記ロワークランプとは、ピボット軸の廻りに互いに相対回転できる。
【００１５】
上記の技術案によれば、本発明のメディカル用体位保持ベルト固定装置は、挟持状態と開放状態との切り替えが更に容易になり、メディカル用体位保持ベルトを手術台のサイドレールに固定する、又は、手術台のサイドレールから取外すことができるとの有益的な技術的効果を奏することができる。
【００１６】
好ましくは、前記ピボット軸が前記アッパークランプ又は前記ロワークランプに一体形成される。
【００１７】
上記の技術案によれば、本発明のメディカル用体位保持ベルト固定装置は、メディカル用体位保持ベルト固定装置の構造が簡素化になり、部品数量が少なくなるとの有益的な技術的効果を奏することができる。
【００１８】
好ましくは、前記ロワークランプ又は前記アッパークランプには溝が設けられており、ストッパーは、前記アッパークランプと前記ロワークランプとが互いに横方向にずれないように前記溝内に設けられている。
【００１９】
上記の技術案によれば、本発明のメディカル用体位保持ベルト固定装置は、アッパークランプとロワークランプとが互いに横方向にずれることを効果的に防止でき、メディカル用体位保持ベルト固定装置が崩れ難くなるとの有益的な技術的効果を奏することができる。
【００２０】
好ましくは、前記ピボット軸は、単独で形成され、且つ前記アッパークランプと前記ロワークランプとを貫通するようになっている。
【００２１】
上記の技術案によれば、本発明のメディカル用体位保持ベルト固定装置は、挟持状態と開放状態との切り替えが比較的に容易であり、メディカル用体位保持ベルトを手術台のサイドレールに固定する、又は、手術台のサイドレールから取外すことができるとの有益的な技術的効果を奏することができる。
【００２２】
好ましくは、前記ピボット軸は、前記アッパークランプと前記ロワークランプとが互いに横方向にずれないように、その一端にピボット軸キャップが設けられ、その他端に固定ネジが接続されている。
【００２３】
上記の技術案によれば、本発明のメディカル用体位保持ベルト固定装置は、アッパークランプとロワークランプとが互いに横方向にずれることを効果的に防止でき、メディカル用体位保持ベルト固定装置が崩れ難くなるとの有益的な技術的効果を奏することができる。
【００２４】
好ましくは、前記弾性体が圧縮バネである。
【００２５】
上記の技術案によれば、本発明のメディカル用体位保持ベルト固定装置は、挟持状態と開放状態との切り替えが容易であり、メディカル用体位保持ベルトを手術台のサイドレールに固定する、又は、手術台のサイドレールから取外すことができるとの有益的な技術的効果を奏することができる。
【００２６】
好ましくは、前記弾性体は、その一端が前記少なくとも一方のクレンプの前記弾性体収容部の底面に当接し、その他端が前記アッパークランプと前記ロワークランプとのうちの少なくとも他方のクランプに当接するようになっている。
【００２７】
上記の技術案によれば、本発明のメディカル用体位保持ベルト固定装置は、挟持状態と開放状態との切り替えが容易であり、且つ弾性体の取り付けが安定になり、メディカル用体位保持ベルト固定装置が崩れ難くなるとの有益的な技術的効果を奏することができる。
【００２８】
好ましくは、前記メディカル用体位保持ベルト固定装置は、前記弾性体と、前記アッパークランプと前記ロワークランプとのうちの少なくとも他方のクランプとの間に挿入され且つ一部が前記弾性体収容部に収容されるスライダーを更に備えている。
【００２９】
上記の技術案によれば、本発明のメディカル用体位保持ベルト固定装置は、スライダーが通常、耐摩耗性の材料（例えば、プラスチック）で製作されるので、弾性体とアッパークランプとの過度磨耗を避けることが可能になり、また、該スライダーのアッパークランプとの接触面積が通常、弾性体が直接アッパークランプと接触する面積よりも大きいので、弾性体とアッパークランプとのより安定的な接触を確保できると共に、メディカル用体位保持ベルト固定装置の全体が更に牢固になるとの有益的な技術的効果を奏することができる。
【００３０】
好ましくは、前記弾性体が引張りバネ、ねじりバネ又はスライスバネである。
【００３１】
上記の技術案によれば、本発明のメディカル用体位保持ベルト固定装置は、各種類の弾性体を採用でき、挟持状態と開放状態との切り替えが容易になり、メディカル用体位保持ベルトを手術台のサイドレールに固定する、又は、手術台のサイドレールから取外すことができるとの有益的な技術的効果を奏することができる。
【００３２】
好ましくは、前記アッパークランプと前記ロワークランプとは、押出成形される。
【００３３】
上記の技術案によれば、本発明のメディカル用体位保持ベルト固定装置は、アッパークランプとロワークランプとの形状や構造が複雑であっても、例えば、回転軸、回転軸包囲部、挟持部、当接部、弾性収容部等が形成されても、簡単に押出成形され、加工時間が短くなり、バッチ生産に寄与するとの有益的な技術的効果を奏することができる。例えば、クランプのロング形材を押出成形してから該ロング形材を複数のクランプに切断することによって、クランプの生産率が大幅に向上することになる。
【００３４】
好ましくは、前記アッパークランプと前記ロワークランプのうち、前記弾性体収容部が設けられた前記少なくとも一方のクランプは、その一端に、前記弾性体が動きやすくなるように前記弾性体収容部と連通する通気孔が設けられている。
【００３５】
上記の技術案によれば、本発明のメディカル用体位保持ベルト固定装置は、例えば圧縮バネの場合に、メディカル用体位保持ベルト固定装置が繰り返して開放、挟持し、圧縮バネが繰り返して圧縮、回復するので、空気が弾性体収容部に導入されて弾性体収容部に一定の気圧が発生してしまい、この気圧によりメディカル用体位保持ベルト固定装置に対する使用者の正常操作が邪魔され、例えば、使用者がメディカル用体位保持ベルト固定装置を開けることが邪魔されるが、弾性体収容部と連通する通気孔を設置することで、あまる空気を排出でき、使用者がメディカル用体位保持ベルト固定装置を容易に操作（特に開放）できるとの有益的な技術的効果を奏することができる。
【００３６】
好ましくは、前記メディカル用体位保持ベルト固定装置は、前記アッパークランプの当接部と前記ロワークランプの当接部とが前記弾性体の弾性力で互いに当接する使用前状態になることが可能である。
【００３７】
上記の技術案によれば、本発明のメディカル用体位保持ベルト固定装置は、アッパークランプの挟持部が該使用前状態で弾性体の弾性力によりロワークランプの挟持部に近づき過ぎることを防止でき、ひいては、使用者がメディカル用体位保持ベルト固定装置を使用前状態から開放状態に切り替える際に過大の弾性力を克服する必要がなくなり、メディカル用体位保持ベルト固定装置による挟持が更に簡素化になり、なお、メディカル用体位保持ベルト固定装置の未使用時にメディカル用体位保持ベルト固定装置を使用前状態に安定的に保持することで、メディカル用体位保持ベルト固定装置が崩れ難くなるとの有益的な技術的効果を奏することができる。
【００３８】
好ましくは、前記保持ベルト接続体の前記他端がスクリューを介して前記アッパークランプに固定される。
【００３９】
上記の技術案によれば、本発明のメディカル用体位保持ベルト固定装置は、保持ベルト接続体を容易に且つ調整可能にアッパークランプに固定できるとの有益的な技術的効果を奏することができる。
【００４０】
好ましくは、前記保持ベルト接続体の前記他端がスクリューを介して前記アッパークランプに固定され、且つ前記スクリューが前記ストッパーを構成する。
【００４１】
上記の技術案によれば、本発明のメディカル用体位保持ベルト固定装置は、スクリューが、保持ベルト接続体の他端を調整可能にアッパークランプに固定する機能、及び、アッパークランプとロワークランプとが互いに横方向にずれることを防止できる機能を持つとの有益的な技術的効果を奏することができる。このため、メディカル用体位保持ベルト固定装置の部材数量が減少し、設計が簡素化になる。
【００４２】
好ましくは、前記保持ベルト接続体が固定される前記アッパークランプの表面には、前記保持ベルト接続体の最大の偏り角が３０°になるように円弧形状の段部が設けられている。
【００４３】
上記の技術案によれば、本発明のメディカル用体位保持ベルト固定装置は、前記保持ベルト接続体の最大の偏り角を３０°に制限することで、手術過程において横滑りにより患者の安全を脅かすことを避けるとの有益的な技術的効果を奏することができる。
【００４４】
好ましくは、前記ロワークランプ又は前記アッパークランプには、使用者が使用中に掴むためのフランジ部が設けられている。
【００４５】
上記の技術案によれば、本発明のメディカル用体位保持ベルト固定装置は、使用者が、メディカル用体位保持ベルトを前記手術台のサイドレールに固定する、又はメディカル用体位保持ベルトの位置を調整する場合に、片手でメディカル用体位保持ベルト固定装置の開放及び挟持を実現でき、メディカル用体位保持ベルトの固定又は調整の過程が更に簡素化・迅速化になるとの有益的な技術的効果を奏することができる。
【００４６】
好ましくは、前記挟持部が鈎状挟持部である。
【００４７】
上記の技術案によれば、本発明のメディカル用体位保持ベルト固定装置は、手術台のサイドレールをより安定的に且つ確実的に挟持できるとの有益的な技術的効果を奏することができる。
【００４８】
好ましくは、前記アッパークランプの形状は、前記メディカル用体位保持ベルトの付加引張力の増大に伴い、前記アッパークランプの鈎状挟持部で前記手術台のサイドレールに与える付加挟持力が数倍に増大するように設計されている。
【００４９】
上記の技術案によれば、本発明のメディカル用体位保持ベルト固定装置は、患者が手術過程において無意識的に動いたとしても、患者をある位置に安定的に保持でき、患者の動作が激しくなる（つまり、メディカル用体位保持ベルトの付加引張力が大きくなる）と、アッパークランプの鈎状挟持部で手術台のサイドレールに与える付加挟持力が大きくなり、患者をある位置に安定的に保持することを確保でき、アッパークランプの鈎状挟持部で手術台のサイドレールに与える付加挟持力により、メディカル用体位保持ベルトの付加引張力が数倍に増大し、増大倍率がＬ１／Ｌ２となり、更に患者をある位置に安定的に保持できるとの有益的な技術的効果を奏することができる。
【００５０】
好ましくは、前記メディカル用体位保持ベルト固定装置は、前記保持ベルト接続体と前記アッパークランプ又は前記ロワークランプとの間に設けられたガスケットを更に備える。
【００５１】
上記の技術案によれば、本発明のメディカル用体位保持ベルト固定装置は、メディカル用体位保持ベルト固定装置の使用過程における保持ベルト接続体とアッパークランプ又はロワークランプとの相互摩擦を避けるように保持ベルト接続体とアッパークランプ又はロワークランプとを隔てており、保持ベルト接続体とアッパークランプ又はロワークランプとの絶対的連動を避けることができ、保持ベルト接続体が右方向に向かって右極限位置まで揺動してから更に右方向へ揺動しないと、アッパークランプ又はロワークランプが開放されないので、本発明に係るメディカル用体位保持ベルト固定装置が更に安全になるとの有益的な技術的効果を奏することができる。
【００５２】
好ましくは、前記メディカル用体位保持ベルト固定装置は、スライダーを備えており、前記弾性体は、その一端が前記アッパークランプと前記ロワークランプのうちの少なくとも一方のクランプに当接又は固定され、その他端が前記スライダーを介して前記アッパークランプと前記ロワークランプのうちの少なくとも他方のクランプに当接又は固定される。
【００５３】
上記の技術案によれば、本発明のメディカル用体位保持ベルト固定装置は、スライダーが通常、耐摩耗性の材料（例えば、プラスチック）で製作されるので、弾性体とアッパークランプ又はロワークランプとの過度磨耗を避けることが可能になり、また、該スライダーのアッパークランプ又はロワークランプとの接触面積が通常、弾性体が直接アッパークランプ又はロワークランプと接触する面積よりも大きいので、弾性体とアッパークランプ又はロワークランプとのより安定的な接触を確保できると共に、メディカル用体位保持ベルト固定装置の全体が更に牢固になるとの有益的な技術的効果を奏することができる。
【００５４】
好ましくは、前記弾性体及び前記スライダーが何れも水平方向に沿って設置される。
【００５５】
好ましくは、前記弾性体及び前記スライダーが何れも垂直方向に沿って設置される。
【００５６】
上記の技術案によれば、本発明のメディカル用体位保持ベルト固定装置は、異なる要求に応じて異なる方向に沿って弾性体及びスライダーを柔軟に設置できるとの有益的な技術的効果を奏することができる。
【００５７】
好ましくは、前記スライダーには、弾性体収容部が設けられ、前記弾性体は、少なくともその一部が前記弾性体収容部に収容される。
【００５８】
上記の技術案によれば、本発明のメディカル用体位保持ベルト固定装置は、弾性体の取付けが更に簡素化になり、且つ使用時に弾性体が隠され、医務スタッフへの汚染を防止できるとの有益的な技術的効果を奏することができる。
【図面の簡単な説明】
【００５９】
【図１（ａ）】従来の板金折り曲げ構造を持つメディカル用体位保持ベルト固定装置の側面図を示す。
【図１（ｂ）】手術台の一部及びそのサイドレールの概略図を示す。
【図２】従来のボルトで固定された他のメディカル用体位保持ベルト固定装置の側面図を示す。
【図３】本発明の一実施例に係るメディカル用体位保持ベルト固定装置の分解組立図を示す。
【図４】本発明の一実施例に係るメディカル用体位保持ベルト固定装置が挟持状態にある時の正面図を示す。
【図５】本発明の一実施例に係るメディカル用体位保持ベルト固定装置が挟持状態にある時の、図４の線Ａ−Ａに沿う断面図を示す。
【図６】本発明の一実施例に係るメディカル用体位保持ベルト固定装置が挟持状態にある時の斜視図を示す。
【図７】本発明の一実施例に係るメディカル用体位保持ベルト固定装置が使用前状態、開放状態及び挟持状態のそれぞれにある時の側面図を示し、図７（ａ）に使用前状態を示し、図７（ｂ）に開放状態を示し、図７（ｃ）に挟持状態を示している。
【図８】本発明の他の一実施例に係るメディカル用体位保持ベルト固定装置の斜視図を示す。
【図９（ａ）】保持ベルト接続体の左方最大偏り角時の作動状態図を示す。
【図９（ｂ）】保持ベルト接続体の右方最大偏り角時の作動状態図を示す。
【図１０】本発明の一実施例に係るメディカル用体位保持ベルト固定装置の力学原理図を示す。
【図１１（ａ）】本発明の他の一実施例に係るメディカル用体位保持ベルト固定装置の断面図を示す。
【図１１（ｂ）】本発明の他の一実施例に係るメディカル用体位保持ベルト固定装置の断面図を示す。
【図１２（ａ）】本発明の他の一実施例に係るメディカル用体位保持ベルト固定装置の挟持状態断面図を示す。
【図１２（ｂ）】本発明の他の一実施例に係るメディカル用体位保持ベルト固定装置の開放状態断面図を示す。
【図１２（ｃ）】本発明の他の一実施例に係るメディカル用体位保持ベルト固定装置の分解組立図を示す。
【発明を実施するための形態】
【００６０】
以下、図面に基づいて本発明の好適な実施形態を説明する。
【００６１】
図３は、本発明の一実施例に係るメディカル用体位保持ベルト固定装置の分解組立図を示す。本発明の一実施例に係るメディカル用体位保持ベルト固定装置は、メディカル用体位保持ベルトを手術台のサイドレールに固定する、又は、手術台のサイドレールから取外すためのものであって、アッパークランプ１、ロワークランプ２及び弾性体４を備えており、アッパークランプ１又はロワークランプ２は、メディカル用体位保持ベルトに接続される。弾性体４は、その両端がそれぞれアッパークランプ１とロワークランプ２とに当接又は固定される。
【００６２】
アッパークランプ１又はロワークランプ２は、メディカル用体位保持ベルトに直接接続されてもよい。当然ながら、アッパークランプ１又はロワークランプ２は、保持ベルト接続体３を介してメディカル用体位保持ベルトに接続され、保持ベルト接続体３は、その一端がメディカル用体位保持ベルトに固定され、その他端がアッパークランプ１又はロワークランプ２に固定されるようにしてもよい（例えば、図３には、保持ベルト接続体３の他端がアッパークランプ１に固定されていることを示す）。
【００６３】
好ましくは、弾性体４は、アッパークランプ１とロワークランプ２のうちの少なくとも一方の弾性体収容部２９に設置されている。
【００６４】
図４は、本発明の一実施例に係るメディカル用体位保持ベルト固定装置が挟持状態にある時の正面図を示す。図５は、本発明の一実施例に係るメディカル用体位保持ベルト固定装置が挟持状態にある時の、図４の線Ａ−Ａに沿う断面図を示す。図６は、本発明の一実施例に係るメディカル用体位保持ベルト固定装置が挟持状態にある時の斜視図を示す。
【００６５】
図５に示すように、アッパークランプ１とロワークランプ２とのそれぞれには、手術台のサイドレール５を挟持するための挟持部１１、２１が設けられている。
【００６６】
図５には、弾性体４がロワークランプ２の弾性体収容部２９に設置されることのみを示したが、本発明に基づいて、当業者は、弾性体４がアッパークランプ１の弾性体収容部に設置されてもよいことを理解するであろう。
【００６７】
図５に示すように、挟持部１１、２１は、鈎状挟持部であることが好ましい。当然ながら、挟持部１１、２１は、手術台のサイドレール５を確実的に挟持すれば、他の形状であってもよく、例えば、挟持部１１、２１は、クランプの他の部分と略面一になる平面挟持部であってもよい。
【００６８】
図４〜図６に示す挟持状態では、弾性体４は、その自体の弾性力でアッパークランプとロワークランプのうちの他方のクランプ（図４〜図６に示すアッパークランプ１）の挟持部（図４〜図６に示す挟持部１１）を前記一方のクランプ（図４〜図６に示すロワークランプ２）の挟持部（図４〜図６に示す挟持部２１）へ移動させることでメディカル用体位保持ベルトを手術台のサイドレール５に固定するようになっている。
【００６９】
図７は、本発明の一実施例に係るメディカル用体位保持ベルト固定装置が使用前状態、開放状態及び挟持状態のそれぞれにある時の側面図を示し、図７（ａ）に使用前状態を示し、図７（ｂ）に開放状態を示し、図７（ｃ）に挟持状態を示している。
【００７０】
図７（ｃ）に示す挟持状態では、上述のように、弾性体４は、その自体の弾性力でアッパークランプ１の挟持部１１をロワークランプ２の挟持部２１へ移動させることでメディカル用体位保持ベルトを手術台のサイドレール５に固定するようになっている。
【００７１】
図７（ｂ）に示す開放状態では、弾性体４の弾性力に抗してアッパークランプ１の挟持部１１をロワークランプ２の挟持部２１から離間させることで、メディカル用体位保持ベルトを手術台のサイドレール５から取外すと共に、取外した後にメディカル用体位保持ベルトを再び手術台のサイドレール５に固定し易くなるようにする。
【００７２】
好ましくは、アッパークランプ１とロワークランプ２とのそれぞれには、更に当接部１０と当接部２０とが設けられている。
【００７３】
図７（ａ）に示す使用前状態では、アッパークランプ１の当接部１０とロワークランプ２の当接部２０とが弾性体４の弾性力で互いに当接するようになっている。該使用前状態でアッパークランプ１の当接部１０とロワークランプ２の当接部２０とが互いに当接することにより、アッパークランプ１の挟持部１１が該使用前状態で弾性体４の弾性力によりロワークランプ２の挟持部２１に近づき過ぎることを防止でき、ひいては、使用者がメディカル用体位保持ベルト固定装置を使用前状態から開放状態に切り替える際に過大の弾性力を克服する必要が無くなり、メディカル用体位保持ベルト固定装置による挟持が更に簡素化でき、なお、メディカル用体位保持ベルト固定装置の未使用時にメディカル用体位保持ベルト固定装置を使用前状態に安定的に保持することで、メディカル用体位保持ベルト固定装置が崩れにくいとの有益な技術的効果を実現できる。
【００７４】
当然ながら、アッパークランプ１の当接部１０とロワークランプ２の当接部２０とを別途設置することなく、該使用前状態で直接アッパークランプ１の挟持部１１とロワークランプ２の挟持部２１とを当接させても、メディカル用体位保持ベルト固定装置が安定的に使用前状態に保持されるとの技術的効果を実現でき、また、このようなメディカル用体位保持ベルト固定装置によっても、メディカル用体位保持ベルトを手術台のサイドレールに効果的に固定することもできる。この場合、アッパークランプ１の当接部１０とロワークランプ２の当接部２０とを別途設置する場合と比べて、使用者はメディカル用体位保持ベルト固定装置を使用前状態から開放状態に切り替える際に大きな弾性力を克服する必要がある。
【００７５】
図４〜図７には、弾性体４でアッパークランプ１の挟持部１１をロワークランプ２の挟持部２１へ移動させることのみを示したが、本発明に基づいて、当業者は、弾性体４がアッパークランプ１の弾性体収容部に設置された場合に、弾性体４でロワークランプ２の挟持部２１をアッパークランプ１の挟持部１１へ移動させてもよいことを理解するであろう。
【００７６】
アッパークランプ１とロワークランプ２とは、ピボット軸１２の廻りに互いに相対回転できる。
【００７７】
実施例では、図５に示すように、ピボット軸１２がアッパークランプ１に一体形成されると共に、ロワークランプ２にピボット軸包囲部２２が設けられている。当然ながら、本発明に基づいて、当業者は、ロワークランプ２にピボット軸を一体形成すると共にアッパークランプ１にピボット軸包囲部を設けても、アッパークランプ１とロワークランプ２とがピボット軸の廻りに互いに相対回転するとの技術的効果を実現できることを理解するであろう。
【００７８】
図５に示すようにピボット軸１２がアッパークランプ１に一体形成される場合、ロワークランプ２には溝が設けられる。好ましくは、該溝は、図３に示すように、ロワークランプ２のピボット軸包囲部２２の横方向の中間位置に設けられている。図５に示すように、ストッパー３１は、アッパークランプ１とロワークランプ２とが互いに横方向にずれないように溝内に設けられている。
【００７９】
他の実施例では、図８に示すように、ピボット軸１２’は、単独で形成され、且つアッパークランプ１とロワークランプ２とを貫通するようになっている。ピボット軸１２’は、アッパークランプ１とロワークランプ２とが互いに横方向にずれないように、その一端にピボット軸キャップ２”が設けられ、その他端に固定ネジ（図示せず）が接続されている。
【００８０】
上記では、アッパークランプ１とロワークランプ２とがピボット軸１２の廻りに互いに相対回転できる技術案が描かれていたが、本発明に基づいて、当業者は、アッパークランプ１とロワークランプ２とが他の接続形態によってもメディカル用体位保持ベルト固定装置の挟持状態及び開放状態を実現できることを理解するであろう。例えば、アッパークランプ１とロワークランプ２とは、スライドレール接続を採用し、挟持状態において、弾性体は、その自体の弾性力でアッパークランプ１又はロワークランプ２の挟持部をロワークランプ２又はアッパークランプ１の挟持部へ移動させることで、メディカル用体位保持ベルトを手術台のサイドレールに固定する一方、開放状態において、弾性体の弾性力に抗してアッパークランプ１又はロワークランプ２の挟持部をロワークランプ２又はアッパークランプ１の挟持部から離間させることで、メディカル用体位保持ベルトを手術台のサイドレールから取外すようになっていてもよい。
【００８１】
弾性体４は、図５に示すように、圧縮バネであることが好ましい。圧縮バネ４は、その一端がロワークランプ２の弾性体収容部２９の底面に当接し、その他端がアッパークランプ１に当接するようになっている。当然ながら、圧縮バネ４の他端は、アッパークランプ１に直接当接するのではなく、スライダー６を介してアッパークランプ１に当接してもよい。
【００８２】
具体的には、本発明の一実施例に係るメディカル用体位保持ベルト固定装置は、図５に示すように、弾性体４とアッパークランプ１との間に挿入されるとともにその一部が弾性体収容部２内に収容されるスライダー６を更に備えている。弾性体４とアッパークランプ１との間にスライダー６が設けられることにより、該スライダーが通常、耐摩耗性の材料（例えば、プラスチック）で製作されるので、弾性体４とアッパークランプ１との間の過度磨耗を避けることが可能になり、また、該スライダーのアッパークランプとの接触面積が通常、弾性体が直接アッパークランプと接触する面積よりも大きいので、弾性体とアッパークランプとの安定的な接触を確保できると共に、メディカル用体位保持ベルト固定装置の全体がより牢固になるとの有益な技術的効果を奏する。
【００８３】
図５に示す実施例では、弾性体４は、圧縮バネである。然しながら、本発明に基づいて、当業者は、弾性体４が引張りバネ、ねじりバネ又はスライスバネであってもよく、ひいては、メディカル用体位保持ベルト固定装置による挟持状態及び開放状態を実現できる如何なるバネ又は弾性体であってもよいことを理解するであろう。
【００８４】
弾性体４が引張りバネである場合、該引張りバネの両端がそれぞれアッパークランプ１とロワークランプ２とに固定されることで、挟持状態において、引張りバネの引張力によりアッパークランプ１とロワークランプ２とのそれぞれの挟持部が互いに接近するように引っ張られる一方、開放状態において、引張りバネの引張力に抗してアッパークランプ１とロワークランプ２とのそれぞれの挟持部が互いに離れるようにする。
【００８５】
弾性体４がねじりバネである場合、該ねじりバネの両端がそれぞれアッパークランプ１とロワークランプ２とに固定されることで、挟持状態において、ねじりバネのねじり力によりアッパークランプ１とロワークランプ２とのそれぞれの挟持部が接近する一方、開放状態において、ねじりバネのねじり力に抗してアッパークランプ１とロワークランプ２とのそれぞれの挟持部が互いに離れるようにする。
【００８６】
弾性体４がスライスバネである場合（図８に示すように）、該スライスバネは、その一端がロワークランプ２に固定され、その他端がアッパークランプ１に当接することで、挟持状態において、スライスバネの弾性力によりアッパークランプ１とロワークランプ２とのそれぞれの挟持部が互いに接近する一方、開放状態において、スライスバネの弾性力に抗してアッパークランプ１とロワークランプ２とのそれぞれの挟持部が互いに離れるようにする。
【００８７】
好ましくは、アッパークランプ１とロワークランプ２とは、押出成形される。つまり、アッパークランプ１とロワークランプ２とは、挟みブロックの形になってもよい。押出成形されるアッパークランプとロワークランプとは、アッパークランプとロワークランプとの形状や構造が複雑であっても、例えば、回転軸、回転軸包囲部、挟持部、当接部、弾性収容部等が形成されても、簡単に押出成形され、加工時間が短くなり、バッチ生産できるとの有益な技術的効果がある。例えば、クランプのロング形材を押出成形してから、該ロング形材を複数のクランプに切断することによって、クランプの生産率は大幅に向上することになる。
【００８８】
当然ながら、本発明に基づいて、当業者は、アッパークランプ１とロワークランプ２とが他の成形形態、例えば板金折り曲げ成形等を採用してもよいが、これでは押出成形による上記の有益的な技術的効果を実現できないことを理解するであろう。
【００８９】
好ましくは、アッパークランプ１とロワークランプ２のうち、弾性体収容部２９が設けられた前記一方のクランプ（例えば、図５に示すロワークランプ２）は、その一端（例えば、図５に示す下端）に、弾性体４が動きやすくなるように弾性体収容部２９と連通する通気孔３０が設けられている。上記の通気孔を設置することにより、例えば、図５に示す圧縮バネの場合に、メディカル用体位保持ベルト固定装置が繰り返して開放、挟持し、圧縮バネが繰り返して圧縮、回復するので、空気が弾性体収容部に導入されて弾性体収容部に一定の気圧が発生してしまい、この気圧によりメディカル用体位保持ベルト固定装置に対する使用者の正常操作が邪魔され、例えば、使用者がメディカル用体位保持ベルト固定装置を開けることが邪魔されるが、弾性体収容部と連通する通気孔を設置することで、あまる空気を排出でき、使用者がメディカル用体位保持ベルト固定装置を容易に操作（特に開放）できるとの有益的な技術的効果がある。
【００９０】
好ましくは、保持ベルト接続体３の他端は、図５に示すように、スクリュー３１’を介してアッパークランプ１に固定される。このようにすれば、保持ベルト接続体の偏り角を容易に調整できるので、メディカル用体位保持ベルトの縛り位置及び角度の調整は、更に容易になる。
【００９１】
好ましくは、スクリュー３１’は、前述のストッパー３１を構成する。このようにすれば、スクリュー３１’は、保持ベルト接続体３の他端をアッパークランプ１に調整可能に固定できる機能、及び、アッパークランプ１とロワークランプ２とが互いに横方向にずれることを防止できる機能を持つようになる。このため、メディカル用体位保持ベルト固定装置の部材数は減少し、設計は簡素化になる。
【００９２】
図９（ａ）及び図９（ｂ）に示すように、保持ベルト接続体３が固定されるアッパークランプ１の表面には、保持ベルト接続体３の最大の偏り角が３０°になるように、円弧形状の段部１３が設けられている。図９（ａ）には、保持ベルト接続体３の左方への最大偏り角が３０°であることを示している。図９（ｂ）には、保持ベルト接続体３の右方への最大偏り角が３０°であることを示している。当然ながら、アッパークランプ１の円弧形状の段部１３と合わせるために、図９（ａ）及び図９（ｂ）に示すように、保持ベルト接続体３の対応端面も円弧形状となっている。
【００９３】
発明者は、保持ベルト接続体３の最大の偏り角が３０°を超えると、メディカル用体位保持ベルト固定装置が横滑りやすくなり、手術過程において患者の安全を脅かす可能性があることを見出した。このため、上述のように、アッパークランプ１の円弧形状の段部１３は、保持ベルト接続体３の最大の偏り角が３０°に制限されるように設計されている。
【００９４】
好ましくは、ロワークランプ２又はアッパークランプ１には、使用者が使用中に掴むためのフランジ部２８が設けられている。例えば、図６に示すように、ロワークランプ２には、フランジ部２８が設けられている。このようにすれば、使用者は、メディカル用体位保持ベルトを前記手術台のサイドレールに固定する、又はメディカル用体位保持ベルトの位置を調整する場合、片手でメディカル用体位保持ベルト固定装置の開放及び挟持を実現でき、メディカル用体位保持ベルトの固定又は調整の過程は更に簡素化・迅速化される。
【００９５】
図１０は、本発明の一実施例に係るメディカル用体位保持ベルト固定装置の力学原理図を示す。メディカル用体位保持ベルト固定装置が固定され且つ患者が手術台に寝ている場合、メディカル用体位保持ベルトの追加引張力がゼロであり、つまり、メディカル用体位保持ベルトが保持ベルト接続体３を介してアッパークランプ１に与えた付加力Ｆ１がゼロである。付加引張力（例えば、患者の無意識動作）がメディカル用体位保持ベルトに作用すると、メディカル用体位保持ベルト固定装置のアッパークランプの鈎状挟持部１１で付加挟持力が手術台のサイドレールに与えられることになり、この時、アッパークランプ１が手術台のサイドレールからの、該付加挟持力と同じ大きさで且つ逆方向の反作用力Ｆ２をも受ける。図１０に示すように、ピボット軸１２の支点がＯであり、力Ｆ１と力Ｆ２とのモーメントがそれぞれＬ１及びＬ２とすると、Ｆ１×Ｌ１＝Ｆ２×Ｌ２との関係がある。更に図１０に示すように、モーメントＬ１がモーメントＬ２の数倍であるので、力Ｆ２が力Ｆ１の数倍となる。このため、前記メディカル用体位保持ベルトの付加引張力の増大に伴い、前記アッパークランプの鈎状挟持部で前記手術台のサイドレールに与えた付加挟持力が数倍に増大することになる。メディカル用体位保持ベルト固定装置の上述設計（主にアッパークランプの形状設計）は、患者が手術過程において無意識的に動いたとしても、患者をある位置に安定的に保持でき、患者の動作が激しくなる（つまり、メディカル用体位保持ベルトの付加引張力が大きくなる）と、アッパークランプの鈎状挟持部で手術台のサイドレールに与えた付加挟持力も大きくなり、患者をある位置に安定的に保持するのを確保でき、アッパークランプの鈎状挟持部で手術台のサイドレールに与えた付加挟持力により、メディカル用体位保持ベルトの付加引張力が数倍に増大し、増大倍率がＬ１／Ｌ２となり、更に患者をある位置に安定的に保持できるとの有益な技術的効果を奏する。
【００９６】
図１１（ａ）及び図１１（ｂ）は、本発明の他の一実施例に係るメディカル用体位保持ベルト固定装置の断面図を示す。図１１（ａ）及び図１１（ｂ）に示す実施例では、図５に示す実施例と比べて、保持ベルト接続体３とアッパークランプ１との間に、メディカル用体位保持ベルト固定装置の使用過程における保持ベルト接続体３とアッパークランプ１との相互摩擦を避けるように保持ベルト接続体３とアッパークランプ１とを隔てるためのガスケット３２が設けられている。ガスケット３２は、プラスチックガスケットであることが好ましいが、他の耐摩耗性の材料で製作されてもよい。
【００９７】
更に、図１１（ａ）及び図１１（ｂ）に示すように、保持ベルト接続体３とアッパークランプ１との間にガスケット３２が設けられているので、保持ベルト接続体３は、一定範囲内で左右揺動する自由度がある。図１１（ａ）には、保持ベルト接続体３が右極限位置に揺動した状態を示しており、図１１（ｂ）には、保持ベルト接続体３が左極限位置に揺動した状態を示している。このようにすれば、保持ベルト接続体３とアッパークランプ１との絶対的連動を避けることができ、保持ベルト接続体３が右方向に向かって右極限位置まで揺動してから更に右方向へ揺動しないと、アッパークランプ１は開放されないので、本発明に係るメディカル用体位保持ベルト固定装置が更に安全になる。
【００９８】
好ましくは、ガスケット３２は、その設置が更に牢固になるようにアッパークランプ１における凹溝に少なくとも一部が嵌め込まれている。
【００９９】
図１１（ａ）及び図１１（ｂ）に示す実施例では、保持ベルト接続体３がアッパークランプ１に固定される場合のみを示したが、本発明に基づいて、当業者は、保持ベルト接続体３がロワークランプ２に固定された場合、ガスケット３２が保持ベルト接続体３とロワークランプ２との間に設けられてもよいことを理解するであろう。
【０１００】
図１２（ａ）〜図１２（ｃ）は、本発明の他の一実施例に係るメディカル用体位保持ベルト固定装置の挟持状態断面図、開放状態断面図及び分解組立図を示す。
【０１０１】
図１２（ａ）〜図１２（ｃ）に示すように、メディカル用体位保持ベルト固定装置は、スライダー６’を備えており、弾性体４’は、その一端がロワークランプ２に当接又は固定され、その他端がスライダー６’を介してアッパークランプ１に当接又は固定される。
【０１０２】
図１２（ａ）〜図１２（ｃ）に示す実施例と図１１（ａ）及び図１１（ｂ）に示す実施例との相違点は、図１２（ａ）〜図１２（ｃ）に示す実施例おける弾性体４’及びスライダー６’が何れも水平方向に沿って設置されるが、図１１（ａ）及び図１１（ｂ）に示す実施例における弾性体４及びスライダー６が何れも垂直方向に沿って設置されることである。
【０１０３】
好ましくは、スライダー６’には弾性体収容部２９’が設けられ、弾性体４’はその少なくとも一部が弾性体収容部２９’に収容される。
【０１０４】
図１２（ａ）〜図１２（ｃ）に示す実施例には、弾性体４’及びスライダー６’が何れもロワークランプ２にある場合のみを示したが、本発明に基づいて、当業者は、弾性体４’及びスライダー６’がアッパークランプ１にあってもよいことを理解するであろう。
【０１０５】
以上、図面に基づいて本発明を例示的に説明したが、本発明の具体的な形態は、上述の実施形態に限られない。当業者であれば、本発明の主旨を脱出しない前提で、本発明に対してあらゆる修正や変更を行うことができ、これらの修正や変更が本発明の保護範囲に入ることは言うまでもない。
【符号の説明】
【０１０６】
１  アッパークランプ
２  ロワークランプ
３  保持ベルト接続体
４  弾性体
４’  弾性体
５  手術台のサイドレール
６  スライダー
６’  スライダー
１０  当接部
１１  挟持部
１２  ピボット軸
１２’  ピボット軸
１２”  ピボット軸キャップ
１３  段部
２０  当接部
２１  挟持部
２２  ピボット軸包囲部
２９  弾性収容部
２９’  弾性収容部
３１  ストッパー
３１’  スクリュー
３２  ガスケット
１００  ブロック
１０５  手術台のサイドレール
１０６  サイドレール接続柱
２００  ボルト
【図１（ａ）】
0006284631.tif 000002
【図１（ｂ）】
0006284631.tif 000003
【図２】
0006284631.tif 000004
【図３】
0006284631.tif 000005
【図４】
0006284631.tif 000006
【図５】
0006284631.tif 000007
【図６】
0006284631.tif 000008
【図７（ａ）】
0006284631.tif 000009
【図７（ｂ）】
0006284631.tif 000010
【図７（ｃ）】
0006284631.tif 000011
【図８】
0006284631.tif 000012
【図９（ａ）】
0006284631.tif 000013
【図９（ｂ）】
0006284631.tif 000014
【図１０】
0006284631.tif 000015
【図１１（ａ）】
0006284631.tif 000016
【図１１（ｂ）】
0006284631.tif 000017
【図１２（ａ）】
0006284631.tif 000018
【図１２（ｂ）】
0006284631.tif 000019
【図１２（ｃ）】
0006284631.tif 000020